(57)【要約】【課題】原稿の読取り画像の品質を向上させる。【解決手段】原稿の画像を読取る画像処理装置において、光源の光量を増減させる露光調節部と、前記露光調節部で調節された光源の光を原稿に照射して画素毎の輝度値を含む画像情報を読取り、前記調節された少なくとも２つの光量毎に前記原稿の画像情報を読取る画像読取部と、前記光量を増加させて読取った前記画像情報に含まれる画素毎の輝度値が閾値を超えている白飛び画素を検知し、前記白飛び画素を含む画素列を検出する白飛び画素検出部と、前記画像情報の各画素列における輝度値の最大値と最小値との差を算出する輝度差算出部と、前記画素列毎に、読取ったすべての前記画像情報の中で、前記輝度値の最大値と最小値との差が最も大きく、かつ前記白飛び画素を含んでいない画素列を選択して合成した中間画像を生成する画素列合成部と、前記中間画像の輝度補正を行う輝度補正部とを備えた。【選択図】        図１
2013157965.tif 000002
【特許請求の範囲】
【請求項１】
原稿の画像を読取る画像処理装置において、
光源の光量を増減させる露光調節部と、
前記露光調節部で調節された光源の光を原稿に照射して画素毎の輝度値を含む画像情報を読取り、前記調節された少なくとも２つの光量毎に前記原稿の画像情報を読取る画像読取部と、
前記光量を増加させて読取った前記画像情報に含まれる画素毎の輝度値が閾値を超えている白飛び画素を検知し、前記白飛び画素を含む画素列を検出する白飛び画素検出部と、
前記画像情報の各画素列における輝度値の最大値と最小値との差を算出する輝度差算出部と、
前記画素列毎に、読取ったすべての前記画像情報の中で、前記輝度値の最大値と最小値との差が最も大きく、かつ前記白飛び画素を含んでいない画素列を選択して合成した中間画像を生成する画素列合成部と、
前記中間画像の輝度補正を行う輝度補正部とを備えたことを特徴とする画像処理装置。
【請求項２】
請求項１に記載の画像処理装置において、
前記原稿は、製本原稿であり、
前記画素列は、前記製本原稿の画像情報中の綴じ部の長手方向と平行な画素列であり、
前記白飛び画素検出部は、前記画素列毎に、標準光量より光量を増加して読取った前記画像情報中の白飛び画素数が、前記標準光量で読取った前記画像情報中の白飛び画素数より、所定数以上である場合に、前記光量を増加させて読取った前記画像情報中の当該画素列を、白飛び画素を含む画素列と判定することを特徴とする画像処理装置。
【請求項３】
請求項１に記載の画像処理装置において、
前記原稿は、製本原稿であり、
前記画素列は、前記製本原稿の画像情報中の綴じ部の長手方向と平行な画素列であり、
前記輝度差算出部は、前記各画素列における輝度値の最大値と最小値との差を算出することを特徴とする画像処理装置。
【請求項４】
請求項１に記載の画像処理装置において、
前記原稿は、製本原稿であり、
前記画素列は、前記製本原稿の画像情報中の綴じ部の長手方向と平行な画素列であり、
前記画素列合成部は、前記画素列毎に、輝度値の最大値と最小値との差が最大な画素列を、読取ったすべての前記画像情報の中から抽出し、抽出した画素列を合成して中間画像を生成することを特徴とする画像処理装置。
【請求項５】
請求項１に記載の画像処理装置において、
前記原稿は、製本原稿であり、
前記画素列は、前記製本原稿の画像情報中の綴じ部の長手方向と平行な画素列であり、
前記輝度補正部は、前記画素列合成部が生成した中間画像の前記画素列毎に、該画素列において最も大きい輝度値が最大輝度値となるように算出した比を、その画素列中のすべての画素の輝度値に乗算して各画素の輝度値を正規化することを特徴とする画像処理装置。
【請求項６】
請求項１に記載の画像処理装置において、
前記輝度補正部が輝度補正を行った結果を表示する表示部と、
前記原稿の画像情報を読取る要求操作を受付ける受付部とを備え、
前記画像読取部は、前記受付部で受付けた要求操作に従って前記調節された光量で前記原稿の画像情報を読取ることを特徴とする画像処理装置。
【発明の詳細な説明】
【技術分野】
【０００１】
本発明は、原稿の画像を読取る画像処理装置に関する。
【背景技術】
【０００２】
従来の画像処理装置は、製本された原稿が載置台から浮いた箇所に生じる読取画像の暗い部分の画像品質を向上させるため、複数の点光源を用いて光学系を構成し、読取光学系が原稿の中央部近傍の位置に移動したとき、光源の光量を上げるようにしているものがある（例えば、特許文献１参照）。
【先行技術文献】
【特許文献】
【０００３】
【特許文献１】特開２００２−３１４７６０号公報（段落「０１１４」〜段落「０１２０」、図１１、図１５）
【発明の概要】
【発明が解決しようとする課題】
【０００４】
しかしながら、従来の技術においては、載置台からの原稿の中央部の高さに応じて光量を適切に調整することは困難であり、原稿の読取り画像の十分な品質を得ることができないという問題がある。
本発明は、このような問題を解決することを課題とし、原稿の読取り画像の品質を向上させることを目的とする。
【課題を解決するための手段】
【０００５】
そのため、本発明は、原稿の画像を読取る画像処理装置において、光源の光量を増減させる露光調節部と、前記露光調節部で調節された光源の光を原稿に照射して画素毎の輝度値を含む画像情報を読取り、前記調節された少なくとも２つの光量毎に前記原稿の画像情報を読取る画像読取部と、前記光量を増加させて読取った前記画像情報に含まれる画素毎の輝度値が閾値を超えている白飛び画素を検知し、前記白飛び画素を含む画素列を検出する白飛び画素検出部と、前記画像情報の各画素列における輝度値の最大値と最小値との差を算出する輝度差算出部と、前記画素列毎に、読取ったすべての前記画像情報の中で、前記輝度値の最大値と最小値との差が最も大きく、かつ前記白飛び画素を含んでいない画素列を選択して合成した中間画像を生成する画素列合成部と、前記中間画像の輝度補正を行う輝度補正部とを備えたことを特徴とする。
【発明の効果】
【０００６】
このようにした本発明は、原稿の読取り画像の品質を向上させることができるという効果が得られる。
【図面の簡単な説明】
【０００７】
【図１】第１の実施例におけるスキャナの制御構成を示すブロック図
【図２】第１の実施例におけるスキャナの構成を示す外観図
【図３】第１の実施例における走査部の側面説明図
【図４】第１の実施例における輝度補正処理の流れを示すフローチャート
【図５】第１の実施例における原稿の載置状態を示す説明図
【図６】第１の実施例における輝度値の分布図
【図７】第１の実施例における撮像画像の説明図
【図８】第１の実施例における撮像画像の輝度値のヒストグラム
【図９】第１の実施例における補正結果の画像の説明図
【図１０】第１の実施例における補正後のヒストグラム
【図１１】第１の実施例における画素列合成処理の流れを示すフローチャート
【図１２】第１の実施例における白飛び画素数算出の説明図
【図１３】第２の実施例におけるスキャナの制御構成を示すブロック図
【図１４】第２の実施例における補正結果のプレビュー画面の説明図
【図１５】第２の実施例における読取受付け画面の説明図
【図１６】第２の実施例における輝度補正処理の流れを示すフローチャート
【図１７】第２の実施例における画素列画像合成処理の流れを示すフローチャート
【発明を実施するための形態】
【０００８】
以下、図面を参照して本発明による画像処理装置の実施例を説明する。
【実施例１】
【０００９】
図２は第１の実施例におけるスキャナの構成を示す外観図である。
図２において、１００は原稿の画像を読取る画像処理装置としてのスキャナであり、載置台に載置された原稿を読取り、その原稿の画像情報を生成するものである。
スキャナ１００は、走査部１と、載置台２と、操作ボタン３と、開始ボタン４と、表示パネル５と、カバー６とにより構成されている。
【００１０】
走査部１は、図中矢印Ｂが示す副走査方向に移動しながら原稿の画像情報を得るものである。この走査部１は、図３に示すように、光源２１および図中矢印Ａが示す主走査方向の画像情報を得るイメージセンサ２２を備え、図中矢印Ｂが示す副走査方向に移動しながら光源２１の光を原稿５１に照射し、その反射光をイメージセンサ２２で受けて電気的信号に変換し、画素毎に輝度情報としての輝度値を含む画像情報を得るものである。本実施例では、輝度値は、例えば０から２５５までの２５６階調を表すものとする。
【００１１】
載置台２は、走査する対象の原稿（製本された原稿を含む）を載置するガラス台等である。この載置台２の下方には、図中矢印Ｂが示す副走査方向に移動可能な走査部１が配置され、その走査部１により載置台２に載置された原稿の画像情報を読取る。
操作ボタン３は、利用者の入力操作を受付けるものであり、カーソルの移動操作や選択操作などの指示を電気信号として入力する入力手段である。
【００１２】
開始ボタン４は、利用者の入力操作を受付けるものであり、原稿の読取り動作の開始や停止などの指示を電気信号として入力する入力手段である。
表示パネル５は、操作ボタン３により入力された信号に基づき、スキャナ１００の状態や各種情報等を表示するディスプレイ等の表示手段である。
カバー６は、走査部１が載置台２に載置された原稿を読取るときに、外部からの環境光を遮断するために、載置台２を覆うものである。
【００１３】
図１は第１の実施例におけるスキャナの制御構成を示すブロック図である。
図１において、スキャナ１００は、画像読取部７と、記憶部８と、露光調節部９と、白飛び画素検出部１０と、輝度差算出部１１と、画素列合成部１２と、輝度補正部１３とから構成され、図示しない制御部としてのＣＰＵ（Ｃｅｎｔｒａｌ  Ｐｒｏｃｅｓｓｉｎｇ  Ｕｎｉｔ）等を備え、その制御部により記憶部８に記憶された制御プログラム（ソフトウェア）に基づいてスキャナ１００全体の動作が制御される。
【００１４】
画像読取部７は、図２に示す走査部１を制御し、開始ボタン４の押下を検知して載置台２に載置された原稿（製本された原稿を含む）の読み取りを行い、読取った電気信号から画像情報を生成する。
記憶部８は、メモリ等の記憶手段で構成され、図３に示す走査部１の光源２１の光量（以下、「光源光量」という。）の情報や各種制御情報等を記憶するものである。
【００１５】
露光調節部９は、光源光量の情報を記憶部８から読み出し、走査部が原稿を読取るときの光源光量を変更（増減）する。画像読取部７は、露光調節部９で調節された光源の光を原稿に照射して画素毎の輝度値を含む画像情報を読取る。また、画像読取部７は、露光調節部９により調節された少なくとも２つの光源光量毎に原稿の画像情報として、標準の光源光量による画像情報と、露光調節部９で調節された光源光量（標準の光源光量より増加させた光量）による画像情報とを読取る。
【００１６】
白飛び画素検出部１０は、光源光量を増加させて画像読取部７で取得した原稿の画像情報に含まれる画素毎の輝度値が閾値を超えている白飛びした画素を検知し、前記白飛びした画素を含む画素列を検出し、白飛びフラグを立てて白飛びした画素を含む画素列が存在していることを記憶部８に記憶する。ここで、白飛びした画素とは、原稿に照射した光の反射光の露光量が走査部のイメージセンサの飽和露光量を超えたために、所定の閾値を超えた輝度値が出力された画素をいう。
【００１７】
輝度差算出部１１は、画像情報の各画素列において白飛び画素検出部１０で白飛びフラグが立てられなかったすべての画素列について、その各画素列内の画素の輝度値の最大値と最小値との差を輝度差として求める。
画素列合成部１２は、各画素列について輝度差算出部１１で求めた輝度差を、画像読取部７で取得した原稿の全画像情報において比較し、最も輝度差が大きい画素列を選択（抽出）して合成し、輝度補正の基となる中間画像を生成する。すなわち、画素列合成部１２は、画素列毎に、光源光量を変更して読取ったすべての画像情報の中で、輝度値の最大値と最小値との差が最も大きく、かつ白飛びした画素を含んでいない画素列を選択して合成した中間画像を生成する。
【００１８】
輝度補正部１３は、画素列合成部１２で生成された中間画像について、画素列毎に、当該画素列において最も大きい輝度値が最大輝度値（例えば、２５５）となるように算出した比を、その画素列中のすべての画素の輝度値に乗算して各画素の輝度値を正規化する輝度補正を行い、補正した画像を出力する。
上述した構成の作用について説明する。
【００１９】
スキャナが行う輝度補正処理を図４の第１の実施例における輝度補正処理の流れを示すフローチャートの図中Ｓで表すステップにしたがって図１および図２を参照しながら説明する。
なお、画像処理装置としてのスキャナは、ユーザの操作により製本された原稿（以下、「製本原稿」という。）を読取る製本原稿読取りモードが選択されているものとする。
また、「画素列」とは、製本原稿の画像情報中の綴じ部の長手方向と平行な画素の列をいうものとし、本実施例では、図５に示すように載置台２の上に表示された読取りマーカ５３に平行な画素の列である。
【００２０】
Ｓ１：スキャナ１００の画像読取部７は、光源の露光量を標準光量として走査部１を走査し、図５に示すように載置台２に載置された製本原稿５１を読取り、製本原稿５１の画像情報を取得し、その画像情報を記憶部８に記憶させる。このとき、例えば図５に示すように、載置台２の上に表示された読取りマーカ５３と製本原稿５１の綴じ部５２が合う位置に製本原稿５１を配置するようにユーザに促し、スキャナ１００は取得された製本原稿５１の画像情報中の綴じ部５２の位置の特定を読取りマーカ５３の位置により行う。
【００２１】
Ｓ２：露光調節部９は走査部１の光源の光量を変更（増加）し、画像読取部７は載置台２に載置された製本原稿５１を読取り、製本原稿５１の画像情報を取得し、その画像情報を記憶部８に記憶させる。本実施例では、光源をＬＥＤ（Ｌｉｇｈｔ  Ｅｍｉｔｔｉｎｇ  Ｄｉｏｄｅ）光源とし、ＬＥＤ光源の電流値を変更および点灯時間を調整することにより露光量の変更を行うものとするが、それに限られることなく、走査部１に配置された点光源のうち点灯する点光源の数を変更することによっても露光量を変更することができる。
【００２２】
Ｓ３：スキャナ１００は、画像読取部７による製本原稿５１の読取り回数が予め規定された読取り回数に達したと判定すると処理をＳ４へ移行し、未だ達していないと判定すると処理をＳ２へ移行する。なお、予め規定された読取り回数は、求める輝度補正の精度に応じて選択される値であり、記憶部８に記憶される。
Ｓ４：スキャナ１００の白飛び画素検出部１０および画素列合成部１２は、Ｓ１およびＳ２で取得した画像情報から輝度補正に用いる中間画像を生成する。
Ｓ５：輝度補正部１３は、Ｓ４において画素列合成部１２が生成した中間画像に対して、画素列毎に輝度補正を行い、補正した画像を出力して輝度補正処理を終了する。ここで、輝度補正は、例えば最大輝度値が２５５になるように正規化する方法が用いられる。
【００２３】
次に、上述したＳ４においてスキャナの制御部が行う画素列合成処理を図１１の第１の実施例における画素列合成処理の流れを示すフローチャートの図中Ｓで表すステップにしたがって図１を参照しながら説明する。
Ｓ４１：スキャナの制御部は、図１２（ａ）に示す標準光量の画像情報の（読取りマーカ５３、すなわち）製本原稿の綴じ部の長手方向に平行な画素列１２１ａ毎に、Ｓ４２〜Ｓ４７の処理を繰り返す。
【００２４】
Ｓ４２：白飛び画素検出部１０は、図１２（ａ）に示す標準光量の画像情報の（読取りマーカ５３、すなわち）製本原稿の綴じ部の長手方向に平行な画素列１２１ａ毎に、白飛び画素数Ｎを算出する。
Ｓ４３：白飛び画素検出部１０は、Ｓ４４〜Ｓ４６の処理を、上述したＳ２において光量を変更して製本原稿を読取ったそれぞれの画像情報に対して行い、読取った画像情報の数、すなわち予め規定された読取り回数だけ繰り返す。
【００２５】
Ｓ４４：白飛び画素検出部１０は、光量を変更して製本原稿を読取った１つの画像情報に対し、Ｓ４２と同様に、図１２（ｂ）に示す光量を変更した画像情報の（読取りマーカ５３、すなわち）製本原稿の綴じ部の長手方向に平行な画素列１２１ｃ毎に、白飛び画素数Ｍを算出する。なお、白飛び画素数を算出する画素列はＳ４２で白飛び画素数を算出した画素列と同じ位置の画素列である。例えば、Ｓ４２で白飛び画素数を算出した画素列が読取り画像情報において左端部からｉ番目の画素列である場合、光量を変更した画像情報における左端部からｉ番目の画素列である。
【００２６】
Ｓ４５：白飛び画素検出部１０は、Ｓ４２で算出した白飛び画素数Ｎと、Ｓ４４で算出した白飛び画素数Ｍとを比較し、白飛び画素数Ｍが白飛び画素数Ｎより定数α以上多い場合、処理をＳ４６へ移行し、白飛び画素数Ｍが白飛び画素数Ｎより定数α以上多くない場合、処理をＳ４４へ移行し、次の画像情報の当該画素列の白飛び画素数を算出する。ここで、定数αはユーザが求める精度に応じ、または装置の特性に従って予め設定されるパラメータであり、記憶部８に記憶される。
【００２７】
Ｓ４６：白飛び画素数Ｍが白飛び画素数Ｎより定数α以上多いと判定した白飛び画素検出部１０は、処理中の画素列が白飛びした画素列であると判定するために白飛びフラグを立てて、処理中の画素列が白飛びした画素列であることを記憶部８に記憶する。処理中の画素列が白飛びした画素列であることを記憶部８に記憶すると白飛び画素検出部１０は、処理をＳ４４へ移行し、次の画像情報の当該画素列の白飛び画素数を算出する。
光量を変更して製本原稿を読取ったそれぞれの画像情報に対して上記Ｓ４４〜Ｓ４６の処理を行うと制御部は、処理をＳ４７へ移行する。
【００２８】
Ｓ４７：光量を変更して製本原稿を読取ったそれぞれの画像情報に対して上記Ｓ４４〜Ｓ４６の処理を行うと、画素列合成部１２は、標準光量の画像情報および光量を変更したそれぞれの画像情報の当該画素列について、白飛びフラグが立っていない画素列の中から輝度差算出部１１により算出された輝度差が最大な画素列を選択し、記憶部８に記憶する。
【００２９】
ここで、画素列ｘの輝度差ｄｉｆ（ｘ）は以下の式で算出されるものとする。
輝度差ｄｉｆ（ｘ）＝ｍａｘ（ｘ）−ｍｉｎ（ｘ）  ・・・（式）
なお、ｍａｘ（ｘ）は画素列ｘ中の最大輝度値であり、ｍｉｎ（ｘ）は画素列ｘ中の最小輝度値である。
【００３０】
図１２の画像情報の例では、図１２（ｂ）に示す光量を変更した画像の左端部の画素列１２１ｃでは白飛びフラグが立つものとし、その白飛びフラグが立っているため、図１２（ａ）に示す標準光量の画像の左端部の画素列１２１ａが選択され、また図１２（ｂ）に示す光量を変更した画像の製本原稿の綴じ部付近の画素列１２１ｄでは白飛びフラグが立たないものがあるとし、その白飛びフラグが立っていない画像の画素列１２１ｄおよび図１２（ａ）に示す標準光量の画像の綴じ部付近の画素列１２１ｂの輝度差が比較され、輝度差が最も大きい画素列１２１ｄが選択される。
【００３１】
Ｓ４２〜Ｓ４７の処理を行った制御部は、次の画素列の処理を行うため、処理をＳ４２へ移行する。
Ｓ４８：すべての画素列についてＳ４２〜Ｓ４７の処理を行うと、画素列合成部１２は、Ｓ４７で記憶部８に記憶させた各画素列を合成して中間画像を生成する。
【００３２】
一般に、光が照射された物体表面上の照度は、光源からの距離の二乗に反比例する。したがって、載置台から浮いた原稿の部位では光源からの距離が大きくなるため、画像読取部により取得される画像情報は、図６に示すように原稿の綴じ部（図５の綴じ部５２）において輝度値が低い画像情報となる。
また、上記Ｓ２において光源の露光量を変更した後、取得した製本原稿の画像情報は、図７（ｂ）に示すように、図７（ａ）の標準光量を照射して取得した画像と比較して、原稿表面の照度が増加しているため、綴じ部５２の輝度が高くなる一方、載置台に密着した部位ではイメージセンサの飽和露光量を超えてしまい、白飛び５４が生じる。
【００３３】
これを画素毎の輝度値のヒストグラムで表すと図８のようになり、標準光量の光を製本原稿に照射して取得した画像において、載置台に密着した部位の輝度値のヒストグラムは図８（ａ）となり、載置台から浮いている部位の輝度値のヒストグラムは図８（ｂ）となる。また、標準光量から光量を増加させた光を製本原稿に照射して取得した画像において、載置台に密着した部位の輝度値のヒストグラムは図８（ｃ）となり、載置台から浮いている部位の輝度値のヒストグラムは図８（ｄ）となる。
【００３４】
上述した輝度補正処理を行った結果の画像の例は、図９に示すように、載置台から浮いている綴じ部の輝度が高くなり、載置台から浮いている綴じ部の輝度値のヒストグラムは図１０に示すようになり、高い輝度値の画素が増加し、低い輝度値の画素が低減する。
このように、上述したＳ１〜Ｓ５の輝度補正処理を行うことにより、載置台から浮いている製本原稿の綴じ部の輝度値の分布は略一様となり、画像の品質を向上させることができる。
【００３５】
以上説明したように、第１の実施例では、標準の光源露光量で撮像した画像に加え、光源の露光量を増加させて撮像した画像を用いて輝度差が最も大きい画素列を選択して中間画像を生成し、輝度補正を行うようにしたことにより、原稿上の各部位において十分な露光量で画像を得ることができ、原稿の読取り画像の品質を向上させることができるという効果が得られる。
また、製本された原稿の綴じ部付近においても簡単な露光量の変更と画像処理を行うことにより、原稿の読取り画像の品質を向上させることができるという効果が得られる。
【実施例２】
【００３６】
第２の実施例の構成は、第１の実施例のスキャナの制御構成に受付部および表示部を追加したものとなっている。その第２の実施例の構成を図１３の第２の実施例におけるスキャナの制御構成を示すブロック図に基づいて説明する。なお、上述した第１の実施例と同様の部分は、同一の符号を付してその説明を省略する。
【００３７】
図１３において、スキャナ１００は、画像読取部７と、記憶部８と、露光調節部１４と、白飛び画素検出部１０と、輝度差算出部１１と、画素列合成部１２と、輝度補正部１５と、表示部１６と、受付部１７とから構成され、図示しない制御部としてのＣＰＵ等を備え、その制御部により記憶部８に記憶された制御プログラム（ソフトウェア）に基づいてスキャナ１００全体の動作が制御される。
露光調節部１４は、受付部１７からの指示に従って光源光量の情報を記憶部８から読み出し、走査部が原稿を読取るときの光源光量を変更する。
【００３８】
輝度補正部１５は、画素列合成部１２で生成された中間画像について、画素列毎に輝度補正を行い、補正した画像を表示部１６に出力する。
表示部１６は、輝度補正部１５が輝度補正を行った結果としての画像を、例えば図１４に示すようにプレビュー画面１４１として表示パネル５に表示する。
受付部１７は、例えば図１５に示すように、さらに露光調節部１４により変更された光源光量で原稿の読取を行うか否かをユーザに選択させる画面を表示パネル５に表示し、ユーザの操作により、さらに原稿の読取を行うか否かの選択操作を操作ボタンで受付ける。
【００３９】
上述した構成の作用について説明する。
スキャナが行う輝度補正処理を図１６の第２の実施例における輝度補正処理の流れを示すフローチャートの図中Ｓで表すステップにしたがって図２および図１３を参照しながら説明する。なお、画像処理装置としてのスキャナは、ユーザの操作により製本された原稿を読取る製本原稿読取りモードが選択されているものとする。
【００４０】
Ｓ１０１：図４に示すＳ１と同様の処理なのでその説明を省略する。
Ｓ１０２：スキャナ１００（画素列合成部１２）は、Ｓ１０１およびＳ１０８で取得した画像情報から輝度補正に用いる中間画像を生成する。なお、Ｓ１０８において光量を変更した原稿の画像を読取っていない場合、標準光量で読取った原稿の画像を中間画像とし、本処理を行うことなく処理をＳ１０３へ移行する。
【００４１】
Ｓ１０３：輝度補正部１３は、Ｓ１０２において画素列合成部１２が生成した中間画像に対して、画素列毎に輝度補正を行う。ここで、輝度補正は、例えば最大輝度値が２５５になるように正規化する方法が用いられる。
Ｓ１０４：表示部１６は、輝度補正部１５により補正された画像をプレビュー画面として表示パネル５に表示する。
【００４２】
Ｓ１０５：受付部１７は、さらに光量を変更して原稿の読取を行うか否かをユーザに選択させる画面を表示パネル５に表示し、ユーザの操作により原稿の読取を行うか否かの選択操作（要求）を受付ける。
Ｓ１０６：受付部１７は、光量を変更して原稿の読取を行う要求操作を受付けると処理をＳ１０７へ移行し、光量を変更して原稿の読取を行う要求を受付けなかった場合、処理を終了する。
【００４３】
Ｓ１０７：スキャナ１００は、画像読取部７による製本原稿５１の読取り回数が予め規定された読取り回数に達したと判定すると処理を終了し、未だ達していないと判定すると処理をＳ１０８へ移行する。なお、予め規定された読取り回数は、求める輝度補正の精度に応じて選択される値であり、記憶部８に記憶される。
【００４４】
Ｓ１０８：受付部１７で光量を変更して原稿の読取を行う要求操作を受付けると、その要求操作にしたがって露光調節部９は走査部１の光源の光量を変更（増加）し、画像読取部７は載置台２に載置された製本原稿５１を読取り、製本原稿５１の画像情報を取得し、その画像情報を記憶部８に記憶させる。本実施例では、光源をＬＥＤ光源とし、ＬＥＤ光源の電流値を変更および点灯時間を調整することにより露光量の変更を行うものとするが、それに限られることなく、走査部１に配置された点光源のうち点灯する点光源の数を変更することによっても露光量を変更することができる。
【００４５】
次に、上述したＳ１０２において画素列合成部が行う画素列合成処理を図１７の第２の実施例における画素列合成処理の流れを示すフローチャートの図中Ｓで表すステップにしたがって図１３を参照しながら説明する。
Ｓ２０１：画素列合成部１２は、図１２（ａ）に示す標準光量の画像情報の（読取りマーカ５３、すなわち）製本原稿の綴じ部の長手方向に平行な画素列１２１ａ毎に、Ｓ２０２〜Ｓ２０７の処理を繰り返す。
【００４６】
Ｓ２０２：画素列合成部１２は、図１２（ａ）に示す標準光量の画像情報の（読取りマーカ５３、すなわち）製本原稿の綴じ部の長手方向に平行な画素列１２１ａ毎に、白飛び画素数Ｎを算出する。
Ｓ２０３：画素列合成部１２は、Ｓ２０４〜Ｓ２０６の処理を、上述したＳ１０８において光量を変更して製本原稿を読取ったそれぞれの画像情報に対して行い、読取った画像情報の数だけ繰り返す。
【００４７】
Ｓ２０４〜Ｓ２０８：図１１におけるＳ４４〜Ｓ４８と同様の処理なのでその説明を省略する。
このように、上述したＳ１０１〜Ｓ１０８の輝度補正処理を行うことにより、輝度補正された画像をプレビュー画面として表示パネルに表示した上で、ユーザの操作により追加の原稿読取りを行う要求を受付けるようにしたことにより、輝度補正の精度に関するユーザの希望を反映することができる。
【００４８】
以上説明したように、第２の実施例では、第１の実施例の効果に加え、輝度補正された画像をプレビュー画面として表示パネルに表示した上で、ユーザの操作により追加の原稿読取りを行う要求を受付けるようにしたことにより、輝度補正の精度に関するユーザの希望を反映することができるという効果が得られる。
なお、第１の実施例および第２の実施例では、載置台に設けた読取マークに製本原稿の綴じ部を合わせることで、取得した画像中の綴じ部の位置を特定する例で説明したが、スキャナの画像処理により取得した画像中の綴じ部の位置を検出するようにしても良い。
【符号の説明】
【００４９】
１    走査部
２    載置台
３    操作ボタン
４    開始ボタン
５    表示パネル
６    カバー
７    画像読取部
８    記憶部
９、１４  露光調節部
１０  白飛び画素検出部
１１  輝度差算出部
１２  画素列合成部
１３、１５  輝度補正部
１６  表示部
１７  受付部
２１  光源
２２  イメージセンサ
１００  スキャナ
【図１】
2013157965.tif 000003
【図２】
2013157965.tif 000004
【図３】
2013157965.tif 000005
【図４】
2013157965.tif 000006
【図５】
2013157965.tif 000007
【図６】
2013157965.tif 000008
【図８】
2013157965.tif 000009
【図１０】
2013157965.tif 000010
【図１１】
2013157965.tif 000011
【図１３】
2013157965.tif 000012
【図１６】
2013157965.tif 000013
【図１７】
2013157965.tif 000014
【図７】
2013157965.tif 000015
【図９】
2013157965.tif 000016
【図１２】
2013157965.tif 000017
【図１４】
2013157965.tif 000018
【図１５】
2013157965.tif 000019